(57)【特許請求の範囲】
【請求項１】
電柱を支持する支線に蔓性植物が巻き上がることを防止するための蔓性植物巻き上がり防止装置において、
前記支線の下端側へ開口した形状を有するケース部、
前記ケース部を前記支線に回転可能に係合させる支線係合部、
前記ケース部を回転させる回転手段、及び、
前記ケース部に固定され、前記蔓性植物を切断するための刃部を有し、
前記支持係合部は、間に前記支線を回転可能に挟み込む対をなす溝形成部材を夫々の溝を互いに対峙させて対向配置させた凹状部材を備え、一方の溝形成部材を前記凹状部材に固定し、他方の溝形成部材を前記凹状部材の軸方向に移動可能に設け、
前記他方の溝形成部材を前記ケース部の開口側へ移動させるにつれて、前記対をなす溝形成部材間の隙間を徐々に大きくし、前記他方の溝形成部材を前記ケース部の開口から遠ざかる側へ移動させるにつれて、前記対をなす溝形成部材間の隙間を徐々に小さくする
ことを特徴とする回転型蔓性植物巻き上がり防止装置。
【請求項２】
前記支線に回転可能に取り付けられる回転軸構成手段を具備し、
前記支線係合部は、前記対をなす溝形成部材によって前記回転軸構成手段を挟み込むことで構成されることを特徴とする請求項１記載の回転型蔓性植物巻き上がり防止装置。
【請求項３】
前記回転手段は、前記ケース部に形成された羽根部であることを特徴とする請求項１又は２記載の回転型蔓性植物巻き上がり防止装置。
【請求項４】
前記刃部は、前記ケース部の下端側の開口部に配されていることを特徴とする請求項１又は２記載の回転型蔓性植物巻き上がり防止装置。
【請求項５】
前記回転手段は、光発電を利用するものであることを特徴とする請求項１又は２記載の回転型蔓性植物巻き上がり防止装置。
【発明の詳細な説明】
【技術分野】
【０００１】
本発明は、電柱を支持する支線に蔓性植物が巻き上がるのを防止するための装置に関するものである。
【背景技術】
【０００２】
多くの電柱には、これを支持するための支線が設けられている。この支線は、一般的に地表面から電柱に向かって斜めに付設されるワイヤーからなり、草木の多い地帯では、葛、蔦等の蔓性植物がこの支線を巻き上がっていく場合がある。そして、この蔓性植物が支線から電柱へ、電柱から電線や充電部へと達すると、電流が蔓性植物を伝わって地表へ流れる地絡事故等が発生する危険がある。このため、安全性を保守するためにも支線への蔓性植物の巻き上がりを防止することが重要な問題となっている。現状は、蔓性植物が巻き上がる時期を見計らって巡視員が現地へ出向き、鎌などの刃物で切断している。
【０００３】
上記のような問題を解決するための手段として、支線に装着され蔦等の植物が支線を介して上方に巻き上がることを防止する装置であって、短筒状の周壁部と、周壁部の軸線方向の一方側の端部を塞ぐ底部と、周壁部の軸線方向の他方側の端部から外方に突出し、全周に延びるつば部とを有するものが開示されている（特許文献１）。これにより、植物は前記底部によって更に上方に巻き上がることが阻止され、上方に巻き上がることが阻止された植物は、底部に沿って半径方向外側に成長し、内周面に接触することによって伸びる方向を変更し、下方に向かって成長するとされている。
【特許文献１】特開２００３−３１４０８４号公報
【発明の開示】
【発明が解決しようとする課題】
【０００４】
しかしながら、上記特許文献１に示すような特性を有する装置であっても、蔓性植物の成長自体を抑制するものではないため、蔓性植物の成長が進めばいずれ装置の許容範囲を超え、装置全体を乗り越えて上方へ巻き上がっていくこととなる。
【０００５】
そこで、本発明は、蔓性植物の成長自体を抑制することにより、支線への巻き上がりを確実に防止できるようにすることを課題とする。
【課題を解決するための手段】
【０００６】
上記課題の解決を図るために、本発明に係る回転型蔓性植物巻き上がり防止装置は、電柱を支持する支線に蔓性植物が巻き上がることを防止するための蔓性植物巻き上がり防止装置であって、前記支線の下端側へ開口した形状を有するケース部、前記ケース部を前記支線に回転可能に係合させる支線係合部、前記ケース部を回転させる回転手段、及び、前記ケース部に固定され、前記蔓性植物を切断するための刃部を有し、前記支持係合部は、間に前記支線を回転可能に挟み込む対をなす溝形成部材を夫々の溝を互いに対峙させて対向配置させた凹状部材を備え、一方の溝形成部材を前記凹状部材に固定し、他方の溝形成部材を前記凹状部材の軸方向に移動可能に設け、前記他方の溝形成部材を前記ケース部の開口側へ移動させるにつれて、前記対をなす溝形成部材間の隙間を徐々に大きくし、前記他方の溝形成部材を前記ケース部の開口から遠ざかる側へ移動させるにつれて、前記対をなす溝形成部材間の隙間を徐々に小さくすることを特徴とするものである。
【０００７】
このように、刃部を備えたケース部を回転させることにより、ケース部まで伸びてきた蔓性植物を、刃部によって切断することができる。これにより、蔓性植物がケース部の許容範囲を超える程成長する前に切断されるので、蔓性植物の巻き上がりを確実に防止することができる。
【０００８】
ここで、対をなす溝形成部材によって支線を回転可能に挟み込む構成としては、支線に回転可能に回転軸構成手段を取り付け、前記支線係合部は、前記対をなす溝形成部材によって前記回転軸構成手段を挟み込むことで構成するようにしてもよい。このように、回転軸構成手段を介して支線と支線係合部（ケース部）とを係合させることにより、よりスムーズにケース部を回転させることが可能となる。
また、他方の溝形成部材をケース部の開口から遠ざける方向へ常時付勢するバネをさらに設けるようにしてもよい。
【０００９】
また、回転手段としては、ケース部に形成された羽根部としてもよい。この構成によれば、風雨によってケース部を回転させることができるので、コストをかけずに長期に渡って蔓性植物の巻き上がりを防止することができる。また、前記羽根部を湾曲した形状とすることにより、雨による水滴が溜まりやすくなるので、風のみならず雨によっても効率的にケース部を回転させることができる。
【００１０】
さらに、前記刃部は、前記ケース部の下端側の開口部に配されていることが好ましい。これにより、蔓性植物がケース部の内部に充満する前にこれを切断し除去することができる。
【００１１】
また、前記回転手段としては、光発電を利用するものであってもよい。これにより、日中は略連続的にケース部を回転させ続けることができるので、確実に蔓性植物の巻き上がりを防止することができる。
【発明の効果】
【００１２】
以上のように、本発明によれば、刃部を備えるケース部が回転することによって、ケース部まで巻き上がってきた蔓性植物が切断除去されるので、蔓性植物がケース部の許容範囲を超えるまで成長することは略不可能となる。また、風雨によってケース部を回転させる羽根部や、光発電を利用してケース部を回転させる手段を具備することによって、長期に渡って且つ自動的に、蔓性植物の支線への巻き上がりを防止することが可能となる。
【発明を実施するための最良の形態】
【００１３】
以下、添付した図面を参照して本発明の実施例を説明する。尚、異なる実施例において、同一又は同様の作用を有する箇所についてはその説明を省略する。
【実施例１】
【００１４】
図１に示す巻き上がり防止装置１は、ケース部２、支線係合部３、羽根部４、刃部５を有して構成されている。
【００１５】
ケース部２は、円筒部１０と円錐部１１とから構成される。本実施例においては、ケース部２は２つのケースパーツ１２，１３により構成され、これらのケースパーツ１２，１３が係合されることにより、円筒部１０と円錐部１１とが構成される。両ケースパーツ１２，１３は、板状部材１６と係合ピン１７とにより係合される。板状部材１６は、円筒部１０の内壁面に当接するように配置され、該内壁面に形成された凸部１９と係合する孔２０と、係合ピン１７の先端が挿通される孔２１とを有している。また、円筒部１０には、係合ピン１７が挿通される孔２２、両ケースパーツ１２，１３を互いに係止する係止凸部２３及び係止凹部２４が形成されている。円筒部１０は、巻き上がり防止装置１の設置時に下（地表面）側となる部分であり、その下端が開口部２６となっている。円錐部１１は、巻き上がり防止装置１の設置時に上（電柱）側となる部分であり、その上端には孔２７が形成されている。これら円筒部１０及び円錐部１１は、プラスチック等の材料からなり、少なくとも円錐部１１は透明の材料からなることが好ましい。これにより、内部の状態、即ち支線と後述する支線係合部３との連結状態や蔓性植物の伸び具合等を視認することができる。
【００１６】
図１及び図２に示す支線係合部３は、支線５５に後述する回転軸アセンブリ５６を介して係合する部材であり、凹状部材３０、固定溝部材３１、可動溝部材３２、ロックキー３３、挟持板３４，３５を有して構成されている。凹状部材３０は、ケース２の開口部２６から上端側の孔２７へ向かって伸びる凹形状の溝３８を構成する部材である。固定溝部材３１は、凹状部材３０の溝３８内の一方側の側壁３９に固定され、略半円形の溝４１が形成されてなり、この溝４１の最深部と前記側壁３９との距離Ｄ（図２（ａ）参照）が、ケース部２の開口部２６側に向かって徐々に小さくなるように形成されている。可動溝部材３２は、凹状部材３０の溝３８内の他方側の側壁４３に沿って摺動可能に設置されたブロック状の部材であり、その固定溝部材３１と対峙する側の面に略半円形の溝４５が形成されている。ロックキー３３は、可動溝部材３２の摺動を規制するための部材であり、凹状部材３０の他方側の側壁４３に形成されたＬ字状のスリット４７に挿通され、バネ４８によってケース部２の開口部２６から遠ざかる方向に付勢されている。このバネ４８は、その一端がロックキー３３に固定されると共に、他端が凹状部材３０の他方側の側壁４３のケース部２内部（円錐部１１の孔２７）側の端部に固定されている。挟持板３４，３５は、凹状部材３０よりもケース部２内の円錐部１１の孔２７側に配され、一方の挟持板３４は一方のケースパーツ１２に固定され、他方の挟持板３５は他方のケースパーツ１３の内部に固定され、それぞれの挟持板３４，３５にはそれぞれ略半円形状の溝５０，５１が形成されている。また、これら挟持板３４，３５のどちらか一方に、前記凹状部材３０が固定されている。尚、図２においては、上記支線係合部３の説明の便宜上、後述する刃部５の記載が省略されている。
【００１７】
回転軸アセンブリ５６は、図３に示すように、内側部材５７及び外側部材５８から構成される。内側部材５７は、支線５５に直接、回転可能に取り付けられる部材であり、外側部材５８は、内側部材５７の胴部５９を覆うように取り付けられる部材である。
【００１８】
上記構成により、ケース部２を支線５５に係合させる際には、先ず図２（ａ）に示すように、可動溝部材３２をケース部２の開口部２６側に移動させると共に、ロックキー３３をスリット４７の開口部２６側の端部に形成された縦スリット部６１に移動させる。これにより、固定溝部材３１の溝４１と可動溝部材３２の溝４５との隙間が大きくなる。次いで、図２（ｂ）に示すように、ケース２の両ケースパーツ１２，１３の隙間、及び両挟持板３４，３５の隙間から、回転軸アセンブリ５６を進入させ、固定溝部材３１の溝４１、可動溝部材３２の溝４５、及び両挟持部３４，３５の溝５０，５１の間に回転軸アセンブリ５６を配置する。そして、図２（ｃ）に示すように、ロックキー３３を縦スリット部６１から外し、横スリット部６２に沿って可動溝部材３２と共に挟持板３４，３５側へ移動させ、係合ピン１７によって両ケースパーツ１２，１３及び両挟持板３４，３５を係合させる。この時、固定溝部材３１の溝４１と可動溝部材３２の溝４５との隙間が狭まるので、回転軸アセンブリ５６は支線係合部３にしっかりと固定される。
【００１９】
また、本実施例に係る巻き上がり防止装置１は、上記構成に加え、羽根部４及び刃部５を有することを特徴としている。羽根部４は、図１、図４、及び図５に示すように、ケース部２の円錐部１１に複数（本実施例においては６枚）立設されたリブ状の部材であり、上記のように支線５５に係合されたケース部２を、風又は雨の力によって回転させるためのものである。各羽根部４は、それぞれ同一方向へ湾曲した形状を有しており、これにより風を受けやすくなると共に水滴が溜まりやすくなるため、風のみならず雨によってもケース部２を確実に回転させることができる。
【００２０】
刃部５は、図１及び図５に示すように、ケース部２の開口部２６に直線状に配され、上記支線係合部３の凹状部３０の側壁３９，４３（図２参照）、又はケース部２の内壁に固定されている。この刃部５の存在により、ケース部２の回転に伴い、開口部２６まで伸びてきた蔓性植物を切断することができる。尚、本実施例においては、刃部５が直線状に配されているが、例えば十字状に配されていてもよい。
【実施例２】
【００２１】
図６に示す本実施例に係る巻き上がり防止装置１０１は、ケース部２を回転させる手段として、光発電を利用するものであり、太陽電池１０２、モータ１０３、モータ歯車１０４、回転軸歯車１０５を有して構成されている。太陽電池１０２として、ＰＮ接合型ダイオード等を利用した周知のものを適宜使用し、この太陽電池１０２により生じた電力によりモータ１０３を駆動させる。モータ１０３の出力軸にはモータ歯車１０４が固定され、上記実施例１と同様の回転軸アセンブリ５６には回転軸歯車１０５が固定され、これらモータ歯車１０４と回転軸歯車１０５とが噛合されている。
【００２２】
上記構成により、晴天時には太陽電池１０２により発電がなされ、モータ１０３が駆動し、回転軸アセンブリ５６及びケース部２が回転するので、日中においては略連続的に刃部５による蔓性植物の切断が可能となる。
【図面の簡単な説明】
【００２３】
【図１】実施例１に係る巻き上がり防止装置の構成を示す図である。
【図２】（ａ），（ｂ），（ｃ）は、実施例１に係る巻き上がり防止装置の支線係合部の構成、及び支線係合部と支線（回転軸アセンブリ）との係合時の状態を示す図である。
【図３】実施例１に係る巻き上がり防止装置の回転軸アセンブリの構成を示す図である。
【図４】実施例１に係る巻き上がり防止装置の羽根部の構成を示すケース部の一部断面図である。
【図５】実施例１に係る巻き上がり防止装置の使用状態を示す図である。
【図６】実施例２に係る巻き上がり防止装置の構成を示す図である。
【符号の説明】
【００２４】
１，１０１  巻き上がり防止装置
２  ケース部
３  支線係合部
４  羽根部
５  刃部
５５  支線
５６  回転軸アセンブリ
１０２  太陽電池
１０３  モータ
【図１】
0004762055.tif 000002
【図２】
0004762055.tif 000003
【図３】
0004762055.tif 000004
【図４】
0004762055.tif 000005
【図５】
0004762055.tif 000006
【図６】
0004762055.tif 000007